(57)【要約】      （修正有）【課題】板バネのがたつきを抑止でき、ヨロイやテンプルの幅をあまり厚くすることなく眼鏡の装着者に適度なフィット感を与えることができるとともに、容易に板バネを交換することができる眼鏡のテンプル連結構造及び眼鏡フレームを提供する。【解決手段】眼鏡のテンプル連結構造１は、ヨロイ４端部には１つ以上の凹溝が形成された係合金具８が設けられており、板バネ６は、凹溝に係合して継手軸８４に回転可能に固定される基部６２と、テンプル５の基端部５１に設けられた固定孔に挿入される挿入部６３と、挿入部６３の先端から折曲されて基部６２方向に延びて、その先端にテンプル５の基端部５１に固定されるテンプル側孔が設けられた支持部６４と、により構成されており、挿入部６３及び支持部６４は、互いに近接する方向に弾性変形した状態で、支持部の先端６６が基部６２に形成された突片６５に掛止される。【選択図】図５
2010085590.tif 000002
【特許請求の範囲】
【請求項１】
フロントフレームの両端に形成されたヨロイに、それぞれ継手軸を介して板バネが回転可能に固定されており、当該板バネにテンプルの基端部が固定される眼鏡のテンプル連結構造であって、
前記ヨロイ端部には１つ以上の凹溝が形成された係合部が設けられており、
前記板バネは、前記凹溝に係合して前記継手軸に回転可能に固定される基部と、当該基部から延びて前記テンプルの基端部に設けられた固定孔に挿入される挿入部と、当該挿入部の先端から折曲されて前記基部方向に延びて、その先端に前記テンプルの基端部に固定されるテンプル支持孔が設けられた支持部と、により構成されており、
前記挿入部及び前記支持部は、互いに近接する方向に弾性変形した状態で、当該支持部の先端が前記基部に形成された突片に掛止されることを特徴とする眼鏡のテンプル連結構造。
【請求項２】
前記凹溝が複数形成されるとともに、当該凹溝のそれぞれに前記板バネの前記基部が係合されており、互いに隣接する板バネの間に前記テンプルの内部に固定された軸芯の端部を挟持することを特徴とする請求項１に記載の眼鏡のテンプル連結構造。
【請求項３】
請求項１又は請求項２に記載の眼鏡のテンプル連結構造を用いたことを特徴とする眼鏡フレーム。
【発明の詳細な説明】
【技術分野】
【０００１】
本発明は、眼鏡のテンプル連結構造及び眼鏡フレームに関し、詳しくは、板バネを用いた眼鏡のテンプル連結構造及び眼鏡フレームに関する。
【背景技術】
【０００２】
従来より、眼鏡の装着時のフィット感を高めるために、ヨロイとテンプルを連結する蝶番にバネ等の弾性体を組み込み、テンプルを開いたときに弾性体の弾性力によって、装着者の顔側面から頭部にかけてテンプルをフィットさせるテンプル連結構造がある。このような構造として、例えば弾性体としてコイルバネを用い、開いた状態のテンプルをさらに外方向へ押し開くとコイルバネが圧縮変形するようにし、これにより生じたバネの復元力によりテンプルを戻し方向へ付勢させるテンプル連結構造がある（例えば特許文献１）。
【０００３】
しかし、上述の構成では、蝶番の軸と軸を挿通する回動片のほかに、少なくともコイルバネ、バネを収納するバネボックス、バネを押圧する押圧コマといった部材が必要であり、テンプル連結構造が複雑なものとなり製造及び修理が困難なものとなっていた。
【０００４】
そこで近年、製造及び修理をより簡単なものとするために、弾性体として板バネを用いたテンプル連結構造が提案されている。板バネを用いたテンプル連結構造としては、例えば、図８に示すように、ヨロイ１０１に板バネ１０２の一端が固定されるとともに、板バネ１０２の他端と前記テンプル１０３の端部とが回動可能に蝶番で連結されるテンプル連結構造（例えば特許文献２）や、図９に示すように、ヨロイ１０１の内部に空間１０７を形成すると共に該空間に板バネ１０２の基部を固定することで、図９（Ａ）に示すように空間１０７の一方の内壁から、図９（Ｂ）に示すように空間１０７の他方の内壁まで、板バネ１０２の先端側を弾性変形可能とし、そして板バネ１０２先端には蝶番１０４の一方側蝶片１０５を固定し、他方側蝶片１０６をテンプル１０３に固定したテンプル連結構造（例えば特許文献３）が挙げられる。
【特許文献１】特開平５−２９７３２７号公報
【特許文献２】特開２００７−２０６３６１号公報
【特許文献３】特開２００５−１６５１９３号公報
【発明の開示】
【発明が解決しようとする課題】
【０００５】
しかし、上述のような板バネを用いたテンプル連結構造にあっては、眼鏡を装着していないときには、板バネ１０２が全く弾性変形していない状態であるので、テンプルが少しの力で不必要に揺れる問題がある。また、装着者に適度なフィット感を与えるためには、板バネがある程度ひずんで適切な応力を発生させる必要があり、板バネを適度に弾性変形させるためにはヨロイ又はテンプルの幅を厚くする必要がある。
【０００６】
そこで、本発明は、板バネのがたつきを抑止でき、ヨロイやテンプルの幅をあまり厚くすることなく眼鏡の装着者に適度なフィット感を与えることができるとともに、容易に板バネを交換することができる眼鏡のテンプル連結構造及び眼鏡フレームを提供することを目的とする。
【課題を解決するための手段】
【０００７】
上記目的を達成するために、請求項１に記載の眼鏡のテンプル連結構造は、フロントフレームの両端に形成されたヨロイに、それぞれ継手軸を介して板バネが回転可能に固定されており、当該板バネにテンプルの基端部が固定される眼鏡のテンプル連結構造であって、前記ヨロイ端部には１つ以上の凹溝が形成された係合部が設けられており、前記板バネは、前記凹溝に係合して前記継手軸に回転可能に固定される基部と、当該基部から延びて前記テンプルの基端部に設けられた固定孔に挿入される挿入部と、当該挿入部の先端から折曲されて前記基部方向に延びて、その先端に前記テンプルの基端部に固定されるテンプル支持孔が設けられた支持部と、により構成されており、前記挿入部及び前記支持部は、互いに近接する方向に弾性変形した状態で、当該支持部の先端が前記基部に形成された突片に掛止されることを特徴としている。
【０００８】
なお、ここで「眼鏡の内側方向」とは、眼鏡を装着したときに装着者の側となる方向をいう。
【０００９】
また、請求項２に記載の眼鏡のテンプル連結構造は、請求項１に記載の眼鏡のテンプル連結構造であって、前記凹溝が複数形成されるとともに、当該凹溝のそれぞれに前記板バネの前記基部が係合されており、互いに隣接する板バネの間に前記テンプルの内部に固定された軸芯の端部を挟持することを特徴としている。
【００１０】
請求項３に記載のメガネフレームは、請求項１又は請求項２に記載の眼鏡のテンプル連結構造を用いたことを特徴としている。
【発明の効果】
【００１１】
請求項１に記載の眼鏡のテンプル連結構造によると、ヨロイ端部には１つ以上の凹溝が形成された係合部が設けられており、板バネの基部がこの凹溝に係合して継手軸に回転可能に固定されるとともに、この基部から延びてテンプルの基端部に設けられた固定孔に板バネの挿入部が挿入され、この挿入部の先端から折曲されて基部方向に延びる支持部がテンプルの基端部に固定されるので、眼鏡を装着したときに、挿入部及び支持部が眼鏡の外側方向へ弾性変形することによりテンプルが揺動する事ができ、装着者に適度なフィット感を与えることができる。
【００１２】
そして、板バネの挿入部及び支持部が互いに近接する方向に弾性変形した状態で、支持部の先端が板バネの基部に形成された突片に掛止されるので、板バネを内部に挿入されるヨロイやテンプルの幅をあまり厚くする必要がなくより自由なデザインをすることができる。また、眼鏡を装着していないときにも板バネはやや弾性変形した状態を維持されるので、板バネのがたつきを抑止できるとともに、板バネの復元力により眼鏡の装着者に適度なフィット感を与えることができる。
【００１３】
請求項２に記載の眼鏡のテンプル連結構造によると、凹溝が複数形成されるとともに、この凹溝のそれぞれに板バネの基部が係合されており、互いに隣接する板バネの間に前記テンプルの内部に固定された軸芯の端部を挟持するので、板バネがより安定してテンプルを支えることができる。
【００１４】
本願請求項３に記載の発明によると、請求項１又は請求項２に記載の眼鏡のテンプル連結構造を用いるので、上述のいずれかの効果を有する眼鏡フレームとすることができる。
【発明を実施するための最良の形態】
【００１５】
以下、本発明に係る眼鏡のテンプル連結構造１及び当該テンプル連結構造を有する眼鏡フレーム２の最良の実施形態について、各図を参照しつつ説明する。
【００１６】
眼鏡フレーム２は、図１に示すように、眼鏡の前面であるフロントフレーム３と、フロントフレーム３の両端にフロントフレーム３と一体に形成されるヨロイ４と、フロントフレーム３に折り畳み可能なテンプル５と、ヨロイ４にテンプルを連結する板バネ６と、を有する構成である。
【００１７】
フロントフレーム３は、例えばセルロイド、アセテート等の合成樹脂により形成されている。なお、フロントフレーム３の材質は合成樹脂に限られるものではなく、例えばチタン等の金属で形成されても良い。またフロントフレーム３には、図示しないが装着者の眼を保護し、又は視力を補正するのためのレンズが固定されている。
【００１８】
フロントフレーム３の両端には、ヨロイ４が当該フロントフレーム３と一体形成されている。そして、このヨロイ４の端部には、図２及び図３に示すように、Ｅ字状に形成された係合金具８がテンプル５側を開口させるように固定されている。係合金具８は、ヨロイ４の内部に嵌め込まれて固定される嵌合部８１と、この嵌合部８１からテンプル５側に突出する３つの突出片８２と、により構成されている。これらの突出片８２の間には、板バネ６を係合することができる凹溝８３が形成されている。そして、突出片８２のうち、上側及び中間側の突出片８２ａ、８２ｂには先端が雄螺子で形成された継手軸８４を挿入できる貫通孔８５が形成されており、下側の突出片８２ｃにはこの継手軸８４を螺合できる雌螺子８６がねじ切られている。
【００１９】
板バネ６は、図３、図４、及び図５に示すように係合金具８の凹溝８３に係合した状態で、継手軸８４に貫通されるヨロイ側孔６１を有する基部６２と、この基部６２からテンプル５方向に延びて、テンプル５の基端部５１に設けられた固定孔５２に挿入される挿入部６３と、挿入部６３の先端を折り返して基部方向に延びる支持部６４とを備えており、上述の凹溝８３毎に上下に２つ設けられている。この板バネ６の基部６２にはテンプル５方向にやや突出した突片６５が設けられており、この突片６５に支持部６４の先端６６が掛止される。
【００２０】
テンプル５は、先端側に設けられた先セル５３を装着者の耳の上に掛けることで眼鏡を装着者に固定するものであり、金属で形成された長尺の軸芯５４の周りにアセテート等の合成樹脂で形成された枠５５が固定されている。このテンプル５の基端部５１には固定孔５２が開口しており、上下に配置された板バネ６の挿入部６３及び支持部６４をこの固定孔５２に挿入しつつ、板バネ６の挿入部６３及び支持部６４の間に軸芯５４を挟持する。そして、図６に示すように、支持部６４の先端部に設けられたテンプル側孔６７と、軸芯５４の基端側に形成された係止孔５６とを貫通するように下側から螺子５７挿入して、上側の板バネ６のテンプル側孔６７に螺着させる。
【００２１】
板バネ６を製作するときには、図４（ａ）に示すように、突片６５に支持部６４の先端６６が掛止されていない状態で製作される。このときには板バネ６は殆ど弾性変形していない。そして、この板バネ６を用いてヨロイ４及びテンプル５を連結させるときには、図４（ｂ）に示すように、突片６５に支持部６４の先端６６を掛止させる。すなわち、挿入部６３及び支持部６４を互いに隣接する方向に弾性変形させて、支持部６４の先端６６を突片６５の内側に保持し、この支持部６４の復元力により支持部６４の先端６６を突片６５に当接させる。
【００２２】
これにより挿入部６３及び支持部６４は、互いに近接する方向にやや弾性変形した状態で維持されることとなり、挿入部６３及び支持部６４は互いに離反方向に復元力を有した状態で保持される。このように板バネ６は、突片６５に支持部６４の先端６６が掛止された状態で、ヨロイ４及びテンプル５を連結するので、板バネ６の幅を短くすることができ、この板バネ６の挿入部６３及び支持部６４をその基端部５１の固定孔５２に挿入するテンプル５をも細く形成することができる。したがって、テンプル５部分のデザインをより自由に設計することができ、また、テンプル５の材料コストを抑制することができる。
【００２３】
さらに、板バネ６の支持部６４は、眼鏡を装着していない状態でもやや弾性変形した状態で突片６５に掛止されているので、少々の外力が加わっても簡単にがたつくことが無い。しかも、突片６５で支持部６４の動きが規制されるので、支持部６４が大きく塑性変形することを防止することができる。
【００２４】
そして、眼鏡を装着する際には、装着者の頭部によりテンプル５の先セル５３が眼鏡の外側方向に押し広げられる。そして、図４（ｃ）及び図５に示すように、板バネ６の挿入部６３及び支持部６４が互いにさらに接近するように弾性変形する。したがって、挿入部６３及び支持部６４は互いに離反方向に反発する復元力を有しており、この復元力で眼鏡の装着者に適度のフィット感を与える。
【００２５】
そして、板バネの支持部は、眼鏡の内側方向に弾性変形した状態で、その先端が板バネの基部に形成された突片に掛止されるので、板バネを内部に挿入されるヨロイやテンプルの幅をあまり厚くする必要がなくより自由なデザインをすることができる。また、眼鏡を装着していないときにも板バネはやや弾性変形した状態を維持されるので、板バネのがたつきを抑止できるとともに、板バネの復元力により眼鏡の装着者に適度なフィット感を与えることができる。
【００２６】
なお、眼鏡を外して保管するような場合には、図７に示すように、継手軸８４を軸として、板バネ６を眼鏡の内側方向に回転させて、テンプル５を閉じる。
【００２７】
本発明の実施の形態は上述の形態に限ることなく、本発明の思想の範囲を逸脱しない範囲で適宜変更することができる。
【００２８】
本実施形態においては、係合金具８の凹溝８３及び板バネ６はそれぞれ２づつ形成される構成としたが、凹溝８３及び板バネ６は例えば１つづつ配置されるものであってもよく、この場合は、ヨロイ４及びテンプル５の基端部の上下方向の幅を短くすることができるので、デザインの選択の自由度が高まるとともに、材料コストの低減を図ることができる。また、凹溝８３及び板バネ６を３以上配置すれば２つの場合に比べて、上下方向から加わる力に対してテンプル５を安定して保持することができる。
【産業上の利用可能性】
【００２９】
本発明は、眼鏡のヨロイ４とテンプル５とを連結する構造及び眼鏡フレーム２に好適に用いることができる。
【図面の簡単な説明】
【００３０】
【図１】本発明の眼鏡フレームを示す平面図。
【図２】眼鏡のテンプル連結構造を示す平面図及びその一部拡大図。
【図３】係合金具と板バネとを継手軸により回動可能に固定する構造を説明する図。
【図４】板バネの構成を説明する図。
【図５】眼鏡を装着する場合のテンプル及び板バネの動作を説明する図。
【図６】板バネとテンプルとを固定する構造を説明する図。
【図７】眼鏡のテンプルを閉じた状態を示す図。
【図８】眼鏡を装着するときの板バネ及びテンプルの動きを示す図。
【図９】眼鏡を装着するときの板バネの動きを説明する拡大断面図。
【符号の説明】
【００３１】
１      眼鏡のテンプルの連結構造
２      眼鏡フレーム
３      フロントフレーム
４      ヨロイ
５      テンプル
６      板バネ
８      係合金具（係合部）
５１    基端部
５４    軸芯
６２    基部
６３    挿入部
６４    支持部
６５    突片
６７    テンプル側孔（テンプル支持孔）
８３    凹溝
８４    継手軸
【図１】
2010085590.tif 000003
【図２】
2010085590.tif 000004
【図３】
2010085590.tif 000005
【図４】
2010085590.tif 000006
【図５】
2010085590.tif 000007
【図６】
2010085590.tif 000008
【図７】
2010085590.tif 000009
【図８】
2010085590.tif 000010
【図９】
2010085590.tif 000011